(57)【要約】【課題】第２種通信事業者が第１種通信事業者から回線を借りてアクセス系を構築する際の光クロージャとして、両事業者の作業領域が明確に区分される光クロージャを得る。【解決手段】クロージャ本体底板１２ａの下部左右両側にケーブル導入部１６、１７を設け、一方のケーブル導入部１６から導入した幹線側光ケーブル（第１光ケーブル）２１と中継光ケーブル２７とを底板１２ａの上部左右方向中央部のコネクタ接続部３０でコネクタ接続する。コネクタ接続部３０の下方位置に、中継光ケーブル２７を分岐する光スプリッタ３３、及び、分岐された分岐心線３４の余長を収納する余長収納トレイ３８を設け、この余長収納トレイ３８において、分岐心線３４と加入者側光ケーブル（第２光ケーブル）２３の心線とを接続する。コネクタ接続部３０を両事業者の責任分界点とする。第１種通信事業者は、幹線側光ケーブル２１の光コネクタ２１ａをコネクタ接続部３０に接続するだけで済み、他の部分に触れる必要がない。【選択図】図１
2007264150.tif 000002
【特許請求の範囲】
【請求項１】
垂直なクロージャ本体底板（１２ａ）の下部の左右両側に第１光ケーブル用及び第２光ケーブル用のケーブル導入部（１６）、（１７）をそれぞれ備え、一方のケーブル導入部（１６）から導入し立ち上げた第１光ケーブル（２１）と中継光ケーブル（２７）とをコネクタ接続するためのコネクタ接続部（３０）を前記クロージャ本体底板（１２ａ）の上部の左右方向中央部に備え、
クロージャ本体底板（１２ａ）の前記コネクタ接続部（３０）から隔離された下方位置に、前記コネクタ接続部（３０）においてコネクタ接続された中継光ケーブル（２７）を分岐する光スプリッタ（３３）、及び、この光スプリッタ（３０）で分岐された分岐心線（３４）の余長を収納する余長収納トレイ（３８）を設け、この余長収納トレイ（３８）において、前記分岐心線（３４）と第２光ケーブル（２３）の心線とを接続したことを特徴とする光クロージャ。
【請求項２】
前記第１光ケーブル（２１）とともにこれとは別の第１光ケーブル（２２）を導入し、前記コネクタ接続部（３０）において、前記別の第１光ケーブル（２２）と前記中継光ケーブル（２７）とは別の中継光ケーブル（２８）とをコネクタ接続し、前記別の中継光ケーブル（２８）の心線と分岐なし接続用の、前記第２光ケーブル（２３）とは別の第２光ケーブル（２５）の心線とを接続したことを特徴とする請求項１記載の光クロージャ。
【発明の詳細な説明】
【技術分野】
【０００１】
この発明は、光加入者網において、回線設備を持たない第２種通信事業者が回線設備を持つ第１種通信事業者から光通信回線を借りてアクセス系を構築する場合に、第１種通信事業者と第２種通信事業者との責任分界点を明確にした光クロージャに関する。
【背景技術】
【０００２】
光加入者網において、例えば幹線光ケーブルから加入者（ユーザ）に光ファイバ回線を引き落とす場合、一般に、幹線光ケーブルの例えば電柱付近に設置した光クロージャにおいて幹線光ケーブルから加入者側光ケーブル（ドロップケーブル）を分岐させユーザ宅に引き落とす。
【０００３】
この種の光クロージャとして例えば図６に示す光クロージャ１が用いられている（特許文献１参照）。この光クロージャ１は、幹線光ケーブル２から取り出した光ファイバ３と中継光ケーブル４とを余長収納トレイ５内で接続（接続部を６で示す）し、前記中継光ケーブル４とユーザ宅に引き落とされるドロップケーブル７とを、クロージャ本体８の底板８ａに取り付けたアダプタ９においてコネクタ接続する構造である。中継光ケーブル４に取り付けた光コネクタを４ａ、ドロップケーブル７に取り付けたを光コネクタを７ａで示す。
【特許文献１】特開２００３−１７７２５４
【発明の開示】
【発明が解決しようとする課題】
【０００４】
ところで、回線設備を持たない第２種通信事業者が回線設備を持つ第１種通信事業者から光通信回線を借りてアクセス系を構築する場合、第２種通信事業者は、ユーザ宅の近くに光クロージャを設置し、この光クロージャから光ドロップケーブルでユーザ宅に回線を引き落とす。
この状態の施工が完了した段階で、第１種通信事業者が、幹線光ケーブルから分岐させた光ケーブル（これを幹線側光ケーブル（第１光ケーブル）と呼ぶ）を光クロージャに導入して、第２種通信事業者側の光ファイバと接続する。
このような場合、光クロージャ内に設けられる第１種通信事業者と第２種通信事業者との責任分界点（ＰＯＩ：Point Of Interface）を明確にする必要があるが、この場合の光クロージャとして図６に示した光クロージャ１を用いた場合、責任分界点は余長収納トレイ内の接続部６となる。
この場合、第２種通信事業者が設置した光クロージャに第１種通信事業者が幹線光ケーブルから分岐させた第１光ケーブルを接続する作業は、余長収納トレイ５を開いて中継光ケーブル４と接続する作業となり、第２種通信事業者側の光配線部分に触れることになるので、通信障害が発生する可能性が生じることになり、いずれの通信事業者にとっても好ましいとは言えない。
【０００５】
本発明は上記従来の欠点を解消するためになされたもので、回線設備を持たない第２種通信事業者と回線設備を持つ第１種通信事業者との責任分界点が明確にされて、互いに干渉することの少ない光クロージャを提供することを目的とする。
【課題を解決するための手段】
【０００６】
上記課題を解決する本発明は、垂直なクロージャ本体底板の下部の左右両側に第１光ケーブル用及び第２光ケーブル用のケーブル導入部をそれぞれ備え、一方のケーブル導入部から導入し立ち上げた第１光ケーブルと中継光ケーブルとをコネクタ接続するためのコネクタ接続部を前記クロージャ本体底板の上部の左右方向中央部に備え、
クロージャ本体底板の前記コネクタ接続部から隔離された下方位置に、前記コネクタ接続部においてコネクタ接続された中継光ケーブルを分岐する光スプリッタ、及び、この光スプリッタで分岐された分岐心線の余長を収納する余長収納トレイを設け、この余長収納トレイにおいて、前記分岐心線と第２光ケーブルの心線とを接続したことを特徴とする。
【０００７】
請求項２は、請求項１の光クロージャにおいて、前記第１光ケーブルとともにこれとは別の第１光ケーブルを導入し、前記コネクタ接続部において、前記別の第１光ケーブルと前記中継光ケーブルとは別の中継光ケーブルとをコネクタ接続し、前記別の中継光ケーブルの心線と分岐なし接続用の、前記第２光ケーブルとは別の第２光ケーブルの心線とを接続したことを特徴とする。
【発明の効果】
【０００８】
本発明によれば、クロージャ本体底板の上部の左右方向中央部の光コネクタ接続部を第１種通信事業者と第２種通信事業者との責任分界点とすることで、第１種通信事業者が光クロージャに第１光ケーブルを接続する作業は、単に第１光ケーブルの光コネクタを光クロージャのアダプタに装着するだけでよく、第２種通信事業者の余長収納トレイ内に触れる必要がないので、第１種通信事業者の作業による通信障害発生の恐れはほとんどない。このように、第１種通信事業者と第２種通信事業者との責任分界点が明確になる。
【発明を実施するための最良の形態】
【０００９】
以下、本発明を実施した光クロージャについて、図面を参照して説明する。
【実施例１】
【００１０】
本発明の光クロージャは、回線設備を持たない第２種通信事業者が回線設備を持つ第１種通信事業者から光通信回線を借りてアクセス系を構築する場合に、第２種通信事業者がユーザ宅の近くに設置する光クロージャである。
図１は本発明の一実施例の光クロージャ１１の内部構造を示す正面図、図２は図１のＡ−Ａ断面図（但し、断面を示すハッチングは一部省略している）、図３は光クロージャ１１の配線図である。光クロージャ１１の本体（クロージャ本体）１２は、垂直な底板（クロージャ本体底板）１２ａを有し、電柱間に張架された支持線１３に支持金具１４を介して支持されている。光クロージャ１１のカバー１５はクロージャ本体１２の壁部１２ｂに取り付けられる。
【００１１】
クロージャ本体底板１２ａの下部の左右両側に幹線側光ケーブル（第１光ケーブル）用のケーブル導入部１６及び加入者側光ケーブル（第２光ケーブル）用のケーブル導入部１７がそれぞれ設けられ、それぞれの内側斜め上方にケーブル把持部１８、１９が設けられている。図示例のケーブル導入部１６、１７はそれぞれ８本のケーブルを導入可能とされているが、図示例は２本の幹線側光ケーブル（第１光ケーブル）２１、２２を導入する場合であり、その一方の幹線側光ケーブル（第１光ケーブル）２１から詳細は後述のようにして分岐して接続される２本の加入者側光ケーブル（第２光ケーブル）２３、及び、他方の幹線側光ケーブル（別の第１光ケーブル）２２に分岐なしに接続される１本の別の加入者側光ケーブル（別の第２光ケーブル）２５をそれぞれユーザに引き落とす場合である。
【００１２】
クロージャ本体１２は、クロージャ本体底板１２ａと壁部１２ｂだけでなく、前記ケーブル導入部１６、１７やケーブル把持部１８、１９やその他の部分も含めて樹脂一体成形されている。また、ケーブル導入部１６、１７は間隔をあけて形成した複数の壁１６ａ、１７ａを有する構成で、壁１６ａ、１７ａの間隔は、光ケーブルを挟んで把持できる程度の隙間を形成する程度である。
また、ケーブル把持部１８、１９は、光ケーブルを固定する部分であり、鋸歯状のギャップを備えて、そのギャップに光ケーブルを挟み込んで光ケーブルを把持できるようになっている。
また、カバー１５の内面における、前記ケーブル把持部１８、１９に対応する部分に押さえ板が突設されており、この押さえ板の頂部とケーブル把持部１８、１９の頂部が重なって、防水壁が形成している。
これにより、ケーブル把持部１８、１９の下方部分（ないし斜め下方部分）に三角形の防水用スペースが形成される。この三角形の防水用スペースはケーブル導入部１６、１７から入った水滴が内部に入るのを防止する防水構造を形成する。なお、その部分の下側壁部１２ｂに水抜き穴を形成する。
【００１３】
クロージャ本体底板１２ａの上部の左右方向中央部に、ケーブル導入部１６から導入し立ち上げた前記２本の幹線側光ケーブル（単心）２１、２２とこれに対応させた２本の中継光ケーブル（単心）２７、２８とをコネクタ接続するためのコネクタ接続部３０が設けられている。
このコネクタ接続部３０は、クロージャ本体底板１２ａに固定したアダプタ取付台３１に２連のアダプタ３２を取り付けた構成である。幹線側光ケーブル２１、２２の先端に取り付けた光コネクタ（例えばＳＣコネクタ）２１ａ、２２ａと各中継光ケーブル２７、２８の先端に取り付けた光コネクタ２７ａ、２８ａ（例えばＳＣコネクタ）とをアダプタ３２にそれぞれ反対側から嵌入させて、光コネクタ２１ａと光コネクタ２７ａと、及び、光コネクタ２２ａと光コネクタ２８ａとをそれぞれ接続する。
【００１４】
クロージャ本体底板１２における前記コネクタ接続部３０の下方位置に、前記コネクタ接続部３０においてコネクタ接続された一方の中継光ケーブル２７を分岐する光スプリッタ３３を設けている。図１ではスプリッタ３３で分岐する分岐心線３４を２本のみ示したが、分岐数は適宜設定する。
また、前記スプリッタ３３をクロージャ本体底板１２ａに取り付けるスプリッタ取付台３５に、他方の中継光ケーブル２８の心線と分岐なし接続用の加入者側光ケーブル（単心）２５の心線とを直接に融着接続する融着接続部３６を設けている。なお、融着接続に代えて、例えばメカニカルスプライス等による接続をしてもよい。
なお、導入した幹線側光ケーブル２１、２２の光コネクタ２１ａ、２２ａをアダプタ３２に嵌入させる際に、図示のように幹線側光ケーブル２１、２２をアダプタ３２のケーブル導入部１６側と反対側に引き回すと、幹線側光ケーブル２１、２２の余裕長さを容易に収容できる。その際、幹線側光ケーブル２１、２２を図２のようにアダプタ取付部材３１の上方を通して引き回す（但し、図１では混雑を避けるためにそのように図示していない）と、スペースの有効利用が図られる。
【００１５】
また、クロージャ本体底板１２ａの左右方向中央部の前記光スプリッタ３３の図示例では下方位置に、前記光スプリッタ３３で分岐された前記２本の分岐心線３４の余長及び２本の加入者側光ケーブル２３の心線の余長をそれぞれ収納する余長収納トレイ３８を設け、この余長収納トレイ３８において、前記各分岐心線３４と加入者側光ケーブル２３の心線とを融着接続している。融着接続部を符号３９で示す。
なお、各分岐心線３４と加入者側光ケーブル２３との接続は、融着接続に限らず、例えばメカニカルスプライス等による接続でもよい。
【００１６】
余長収納トレイ３８は通常複数段を積層して設けるが、図１、図２では余長収納トレイ３８の積層状態は模式的に示している。
実際には図４に示すように、例えば階段状のトレイ保持部材４１に各余長収納トレイ３８をヒンジ４２により回動可能に取り付けて各余長収納トレイ３８が順次下方にずれた段差付き積層状態にするよい。これにより、余長収納トレイ３８を矢印のように前面側に倒すことができ、各余長収納作業を容易に行うことができる。
この場合に、図示のように光スプリッタ３３及び融着接続部３６を余長収納トレイ３８の背後に配置すると、スペースの有効利用が図られる。
【００１７】
回線設備を持たない第２種通信事業者が上述の光クロージャ１１を用いてユーザに光ファイバ回線を引き落とす手順を説明する。
第２種通信事業者は、図１、図２の光クロージャ１１において幹線側光ケーブル２１、２２が接続されていない状態の光クロージャ１１を、図５に示すようにユーザ宅４７、４８の近くに設置する。この光クロージャ１１の加入者側のケーブル導入部１７から導出される光ドロップケーブル２３、２５はユーザ宅４７、４８に引き落としておく。符号４９は電柱を示す。
この状態の施工が完了した段階で、第１種通信事業者は、幹線光ケーブル４５から第１種通信事業者の光クロージャ４６にて分岐させた光ケーブルすなわち幹線側光ケーブル２１、２２を第２種通信事業者の光クロージャ１１内に導入し、その幹線側光ケーブル２１、２２の先端の光コネクタ２１ａ、２２ａをコネクタ接続部３０のアダプタ３２に嵌入して、幹線側光ケーブル２１、２２と中継光ケーブル２７、２８とをコネクタ接続する。これにより、図１に示した配線状態となり、第２種通信事業者の加入者側光ケーブル２３、２５を介してユーザ宅４７、４８に光ファイバ回線が引き落とされたことになる。
【００１８】
上記の光クロージャ１１において、クロージャ本体底板１２ａの上部の左右方向中央部の光コネクタ接続部３０が第１種通信事業者と第２種通信事業者との責任分界点となる。
上記の通り、第１種通信事業者が光クロージャ１１に幹線側光ケーブル２１、２２を接続する作業は、光クロージャ１１のカバー１５を開けて単に幹線側光ケーブル２１、２２の光コネクタ２１ａ、２２ａを光クロージャ１１のアダプタ３２に嵌入するだけで済み、第２種通信事業者の光スプリッタ３３や余長収納トレイ３８その他の部品に触れる必要がないので、その作業による障害が発生する恐れはない。
【実施例２】
【００１９】
上述の実施例光クロージャ１１は、分岐することなく加入者側光ケーブル２５と接続する幹線側光ケーブル２２も併せて収納しているが、本発明はこのような分岐なし接続の幹線側光ケーブル２５を収納しない場合にも当然適用される。
【図面の簡単な説明】
【００２０】
【図１】本発明の一実施例の光クロージャの内部構造を示す、一部を模式的に示した正面図である。
【図２】図１のＡ−Ａ断面図である（但しハッチングは一部省略）。
【図３】上記光クロージャの配線図である。
【図４】図１、図２における余長収納トレイの積層状態の具体例を説明する図である。
【図５】上記光クロージャの設置状況の一例を説明する図である。
【図６】従来の光クロージャの内部構造の正面図である。
【符号の説明】
【００２１】
１１  光クロージャ
１２  クロージャ本体
１２ａ  クロージャ本体底板
１２ｂ  壁部
１３  支持線
１４  支持金具
１５  カバー
１６  （幹線側光ケーブル（第１光ケーブル）用の）ケーブル導入部
１７  （加入者側光ケーブル（第２光ケーブル）用の）ケーブル導入部
１８、１９  ケーブル把持部
２１  幹線側光ケーブル（第１光ケーブル）
２２  別の幹線側光ケーブル（別の第１光ケーブル）
２３  加入者側光ケーブル（第２光ケーブル）
２５  （分岐なし接続の）加入者側光ケーブル（別の第２光ケーブル）
２７、２８  中継光ケーブル
３０  コネクタ接続部
３１  アダプタ取付台
３２  アダプタ
３３  光スプリッタ
３４  分岐心線
３５  スプリッタ取付台
３６  融着接続部（接続部）
３８  余長収納トレイ
３９  融着接続部（接続部）
４１  トレイ保持部材
４２  ヒンジ
【図１】
2007264150.tif 000003
【図２】
2007264150.tif 000004
【図３】
2007264150.tif 000005
【図４】
2007264150.tif 000006
【図５】
2007264150.tif 000007
【図６】
2007264150.tif 000008